(57)【特許請求の範囲】
【請求項１】
放送局から発信される符号化されたデジタル／アナログ放送信号を受信する受信手段と、この受信手段が受信した放送信号を復号するデジタル／アナログ復号手段と、このデジタル／アナログ復号手段が復号した復号信号を映像表示が可能な信号に変換し、装置本体に接続される表示装置に出力する信号変換手段と、前記表示装置に所定のＯＳＤ表示をさせるＯＳＤ表示手段と、前記装置本体に番組選択等の各種指令を入力するための入力手段と、デジタル／アナログ復号手段が復号した復号信号に含まれる番組情報を記憶する記憶手段と、上記各手段を制御する制御手段とを備え、
前記制御手段は、前記入力手段からの指令を受け、前記記憶手段に記憶させた番組情報に基いて、ユーザに番組情報を提供して番組選択を促すＥＰＧ（Electronic Program Guide）を作成し、この作成したＥＰＧを前記ＯＳＤ表示手段を介して前記表示装置に表示させるＥＰＧ画面表示機能を有するデジタル放送受信装置において、
前記入力手段から番組選択のためのキーワード又は条件を予め入力し、これを登録する条件登録手段を備え、
前記制御手段は、
前記入力手段からの指令を受けたとき、前記記憶手段に記憶させた番組情報の中に前記条件登録手段に登録されているキーワード又は条件に一致する情報が含まれるかを検索する検索手段と、
この検索手段が検索した結果、前記キーワード又は条件に一致する情報が含まれる番組があるとき、前記表示装置に対して該キーワード又は条件に一致する情報が含まれる番組を他の番組とは色を変えて前記ＥＰＧの表示画面に表示するように信号を出力する色変更制御手段と、
前記ＥＰＧの表示画面の下部において、前記入力手段によって選択された番組に関する番組情報を前記記憶手段から読み出して、備考欄に表示する備考欄表示手段と、
前記ＥＰＧの表示画面上において、前記入力手段によって前記一致する情報が含まれる番組が選択されたとき、前記表示装置に対して該選択された番組及び前記備考欄表示手段によって備考欄に表示されている番組情報のうち前記一致する情報を色を変えて表示するのではなくハイライト表示するように信号を出力するハイライト表示制御手段と、
前記入力手段によって選択された番組の番組情報にユーザの視聴を制限するためのレイティング情報が含まれている場合は、装置本体に接続された音声出力手段に対して警告音を鳴らすように信号を出力する警告手段とを備えたことを特徴とするＥＰＧ画面表示機能を有するデジタル放送受信装置。
【発明の詳細な説明】
【０００１】
【発明の属する技術分野】
本発明は、ＥＰＧ（Electronic Program Guide）画面を表示する機能を有するデジタル放送受信装置に関するものである。
【０００２】
【従来の技術】
従来より、テレビジョンのデジタル放送においては、番組情報（ＥＰＧ）が放送信号に多重化されて配信されている。このＥＰＧは、例えば、放送受信装置のリモコンなどに備えられた“ＥＰＧ表示キー”が押下されることにより、テレビモニタに表示される。ＥＰＧ画面には、時間帯毎に各チャンネルの番組構成を一覧表示し、番組選択を促す番組選択画面、及び、個々の番組毎に出演者等のさらに詳細な番組内容を表示した番組内容表示画面などがある。通常、ＥＰＧ表示キーが押下されると、番組選択画面がまず最初に表示される。ユーザは、番組選択画面を参照しながら所望の番組を指定することにより、その番組を放送しているチャンネルを選局することができる。番組内容表示画面は、番組選択画面においてユーザによって選択された番組について表示される。ユーザは、番組選択画面を参照しながら所望の番組を選択することにより、番組内容表示画面を表示させ、選択した番組についての詳細な番組内容を知ることができる。
【０００３】
しかしながら、ＥＰＧによってテレビモニタの画面上に表示される番組情報は大量であるため、ユーザがそれらの情報を把握するのは、手間が掛かったり、見逃したりすることがある。そこで、番組内容表示画面を表示させる際に、ＥＰＧの番組情報の中に所定のキーワードが含まれているかを検索し、該キーワードが含まれていれば、該キーワードを他の文章とは色を変えて表示し、識別を容易にできるようにした放送受信装置が知られている（例えば、特開２０００−３４１５９８号公報参照）。
【０００４】
【発明が解決しようとする課題】
しかしながら、上記特開２０００−３４１５９８号公報に示された装置では、ユーザは、選局のために番組選択画面を表示させても、画面に表示されている番組の番組情報に上記キーワードが含まれているか否かを判断することができない。従って、ユーザは、番組情報の中に上記キーワードが含まれている番組の存在を知るためには、番組選択画面において個々の番組を選択し、選択した番組毎に番組内容表示画面（キーワード検索画面）に切替えてキーワード等を表示させなければならないので、その操作が煩わしく不便であった。また、番組選択画面においてユーザが上記キーワードを番組情報に含んだ番組を選択した場合であっても、ユーザに対して注意を促す動作がなされないので、ユーザが視聴したい番組を見逃す虞もあった。
【０００５】
また、番組によっては、ユーザにとって有害な番組の視聴を制限するためのレイティング情報を上記番組情報の一つとして付加して発信される場合がある。しかしながら、上記装置は、ユーザによって選択された番組に視聴制限が課されている旨の警告を行う警告手段を有していないため、上記レイティング情報を取得した場合であってもユーザに視聴すべきでない番組又は視聴できない番組を警告することができない。従って、ユーザは、番組選択画面においてどの番組に視聴制限が課せられているのかを知ることができないので、装置の使い勝手が良くなかった。
【０００６】
本発明は、上述した問題点を解決するためになされたものであり、ＥＰＧ画面の番組選択画面上でユーザが視聴したいキーワードを番組情報に含んだ番組やレイティング情報が付加された番組を他の番組とは識別できるようにして、番組選択を容易に行えるようにした放送受信装置を提供することを目的とする。
【０００７】
【課題を解決するための手段】
上記目的を達成するために請求項１の発明は、放送局から発信される符号化されたデジタル／アナログ放送信号を受信する受信手段と、この受信手段が受信した放送信号を復号するデジタル／アナログ復号手段と、このデジタル／アナログ復号手段が復号した復号信号を映像表示が可能な信号に変換し、装置本体に接続される表示装置に出力する信号変換手段と、前記表示装置に所定のＯＳＤ表示をさせるＯＳＤ表示手段と、前記装置本体に番組選択等の各種指令を入力するための入力手段と、デジタル／アナログ復号手段が復号した復号信号に含まれる番組情報を記憶する記憶手段と、上記各手段を制御する制御手段とを備え、制御手段は、前記入力手段からの指令を受け、前記記憶手段に記憶させた番組情報に基いて、ユーザに番組情報を提供して番組選択を促すＥＰＧ（Electronic Program Guide）を作成し、この作成したＥＰＧを前記ＯＳＤ表示手段を介して前記表示装置に表示させるＥＰＧ画面表示機能を有するデジタル放送受信装置において、入力手段から番組選択のためのキーワード又は条件を予め入力し、これを登録する条件登録手段を備え、前記制御手段は、前記入力手段からの指令を受けたとき、前記記憶手段に記憶させた番組情報の中に前記条件登録手段に登録されているキーワード又は条件に一致する情報が含まれるかを検索する検索手段と、この検索手段が検索した結果、前記キーワード又は条件に一致する情報が含まれる番組があるとき、前記表示装置に対して該キーワード又は条件に一致する情報が含まれる番組を他の番組とは色を変えて前記ＥＰＧの表示画面に表示するように信号を出力する色変更制御手段と、前記ＥＰＧの表示画面の下部において、前記入力手段によって選択された番組に関する番組情報を前記記憶手段から読み出して、備考欄に表示する備考欄表示手段と、前記ＥＰＧの表示画面上において、前記入力手段によって前記一致する情報が含まれる番組が選択されたとき、前記表示装置に対して該選択された番組及び前記備考欄表示手段によって備考欄に表示されている番組情報のうち前記一致する情報を色を変えて表示するのではなくハイライト表示するように信号を出力するハイライト表示制御手段と、前記入力手段によって選択された番組の番組情報にユーザの視聴を制限するためのレイティング情報が含まれている場合は、装置本体に接続された音声出力手段に対して警告音を鳴らすように信号を出力する警告手段とを備えたものである。
【０００８】
この構成においては、ＥＰＧ画面を表示する際、検索手段が番組情報の中にユーザによって入力されている番組選択のためのキーワード又は条件に一致する情報があるかを検索し、一致する番組については、色変更制御手段の制御により、表示装置の画面上に他の番組と色を変えて表示する。そして、この番組がユーザによって選択されたとき、ハイライト表示制御手段の制御により、表示装置の画面上に該番組をハイライト表示することにより、ユーザに注意を促す。また、このＥＰＧ画面において、番組情報にレイティング情報が含まれている番組がユーザによって選択された場合は、警告手段の制御により、音声出力手段から警告音を鳴らしてユーザに警告を行う。なお、上記番組選択のためのキーワード又は条件は複数登録することができ、その場合は、それぞれのキーワード又は条件毎に色を変えて表示してもよい。
【００１２】
【発明の実施の形態】
以下、本発明を具体化した実施形態について図面を参照して説明する。まず、本実施形態によるデジタル／アナログ放送受信装置の電気的ブロック構成を図１に示す。デジタル／アナログ放送受信装置（ＳＴＢ）１には、放送局から所定周波数の高周波電波で発信されるテレビ放送信号を受信するためのアンテナ２０と、テレビ放送の映像を映し出すためのテレビモニタ（表示装置、音声出力手段）３０が接続される。放送受信装置１は、放送局から発信されるＡＴＳＣ放送信号やＮＴＳＣ放送信号をアンテナ２０を介して受信し、これらの放送信号により配信されるテレビ番組の映像をテレビモニタ３０に映し出すための装置である。
【００１３】
放送受信装置１は、リモコン（入力手段）２と、リモコン受信部３と、チューナ（受信手段）４と、ＮＴＳＣデコーダ（アナログ復号手段）５と、ＭＰＥＧエンコーダ６と、ＡＴＳＣフロントエンド（デジダル復号手段）７と、ＭＰＥＧデコーダバックエンド（信号変換手段）９と、ＯＳＤ回路１０と、メモリ１１と、制御部（制御手段、検索手段、色変更制御手段、ハイライト表示制御手段、警告手段）１３とから構成されている。
【００１４】
リモコン２は、視聴するテレビ番組のチャンネル選局、テレビ番組の視聴予約及び、ＥＰＧ画面の表示等の各種操作を行うためのものであり、ユーザにより操作される。リモコン２は、これら各種の操作を可能とするための各種操作ボタン（不図示）を備えており、各種操作ボタンを操作すると、その操作に応じた赤外線信号等の無線信号を送出する。
【００１５】
リモコン受信部３は、リモコン２から送出された信号を受信し、リモコン２での操作に対応する信号を制御部１３へ出力する。チューナ４は、その受信周波数をリモコン２で選局操作されたチャンネルに対応する周波数に同調させることにより、選局操作されたチャンネルのテレビ放送信号をアンテナ２０を介して受信する。
【００１６】
ＮＴＳＣデコーダ５は、リモコン２によりＮＴＳＣ（National Television Systems Committee）放送のチャンネルが選局された場合、チューナ４で受信したＮＴＳＣ放送信号をテレビ番組の映像信号と音声信号に復調し、その映像信号と音声信号をＭＰＥＧエンコーダ６へ出力する。ＭＰＥＧエンコーダ６は、ＮＴＳＣデコーダ５から出力された映像信号と音声信号をＭＰＥＧ規格でデジタル圧縮符号化し、ＭＰＥＧデコーダバックエンド９へ出力する。
【００１７】
ＡＴＳＣフロントエンド７は、リモコン２によりＡＴＳＣ放送のチャンネルが選局された場合、チューナ４で受信した８ＶＳＢ方式で変調されたＡＴＳＣ放送信号を、ＭＰＥＧ規格でデジタル圧縮符号化された複数のテレビ番組の映像と音声、及び電子番組情報等の信号が時分割多重化された状態のＴＳ信号に復調する。そして、ＡＴＳＣフロントエンド７は、このＴＳ信号から、リモコン２で選局されたチャンネルのテレビ番組の映像信号と音声信号を分離抽出してＭＰＥＧデコーダバックエンド９へ出力すると共に、電子番組情報を抽出して制御部１３へ出力する。この電子番組情報には、各番組の番組名、番組説明及びユーザの視聴を制限するためのレイティング情報などが含まれる。
【００１８】
ＭＰＥＧデコーダバックエンド９には、ＭＰＥＧエンコーダ６及びＡＴＳＣフロントエンド７から出力されるＭＰＥＧ規格によりデジタル圧縮符号化された映像信号と音声信号が入力される。ＭＰＥＧデコーダバックエンド９は、これらの映像信号と音声信号をデジタル圧縮符号化される前の信号に復号することで、テレビモニタ３０に映像を映し出すと共に音声を出力するための信号を生成する。ＭＰＥＧデコーダバックエンド９から出力された映像信号は、ＯＳＤ回路１０を介してテレビモニタ３０へ出力される。
【００１９】
ＯＳＤ回路１０は、ＭＰＥＧデコーダバックエンド９から出力される映像信号にチャンネル番号やＥＰＧ画面等の所定のオンスクリーン表示データを重畳する。これにより、テレビモニタ３０には、テレビ番組の映像にオンスクリーン表示データによる画像が重ねて表示される。
【００２０】
メモリ１１は、各チャンネルのテレビ放送信号の周波数データ及び各種のオンスクリーン表示データを記憶している。また、メモリ１１は、ＡＴＳＣフロントエンド７が抽出した電子番組情報を記憶する。
【００２１】
制御部１３は、リモコン２によりＮＴＳＣ放送のチャンネルが選局された場合には、チューナ４に対して選局されたチャンネルのＮＴＳＣ放送信号を受信させると共に、ＮＴＳＣデコーダ５に対して映像信号と音声信号を復調再生させる。また、リモコン２によりＡＴＳＣ放送のチャンネルが選局された場合には、チューナ４に対して選局されたチャンネルのＡＴＳＣ放送信号を受信させ、ＡＴＳＣフロントエンド７に対して選局されたチャンネルの映像信号と音声信号を分離抽出させる。
【００２２】
また、制御部１３は、チューナ４に対してＡＴＳＣ放送信号を受信させ、ＡＴＳＣフロントエンド７から出力される電子番組情報をメモリ１１に記憶させる。そして、リモコン２によりＥＰＧ画面の表示操作が行われると、メモリ１１に記憶させた電子番組情報を参照して、ＥＰＧの番組選択画面の表示画像を作成し、その画像信号をＯＳＤ回路１０へ出力する。これにより、ＥＰＧの番組選択画面がテレビモニタ３０に表示される。
【００２３】
図２は、ＥＰＧ画面の一例である番組選択画面４０を示している。この番組選択画面では、時間帯毎の各チャンネルの番組構成を一覧表示した番組表４１と、番組表内においてユーザによって選択された番組に対する簡単な番組説明を表示する備考欄４２とが表示される。各番組はリモコンのキー操作に連動して移動するカーソル４３によって選択される。図２においては、チャンネル“８−１”の番組“Ｓｈｏｐｐｉｎｇ”が選択されている。そして、備考欄４２には、選択された番組“Ｓｈｏｐｐｉｎｇ”の出演者などが表示されている。さらに、備考欄４２には、視聴制限に関するレイティング情報が表示される。ここでは、番組“Ｓｈｏｐｐｉｎｇ”について視聴制限が課せられていないことを示すキャラクタ“ＮＯＮＥ”が表示されている。
【００２４】
本放送受信装置１では、番組選択のためのキーワード又は条件を予めユーザに入力させ、これをメモリ１１に登録しておく。そして、リモコン２から番組選択画面を表示する指令が入力されたとき、制御部１３は、メモリ１１に記憶させた電子番組情報の中に上記キーワード又は条件と一致する情報が含まれるかを検索し、その結果に基いて、番組選画面上で所定の表示を行って、ユーザの注意を喚起する。より具体的には、一致する情報が含まれる番組については、番組選択画面４０において他の番組とは色を変えて表示する。ここでいう色を変えてとは、他の番組等を表示する色に対して、主として色相を変えることをいうが、色彩又は明度を変えるようにしてもよく、そのようなものも含んでいるものとする。さらに、この番組選択画面において色を変えて表示した番組がユーザによって選択されたとき、その番組及び番組説明において該当する項目をハイライト表示させる。また、制御部１３は、ユーザによって選択された番組の番組情報にレイティング情報などが含まれている場合は、テレビモニタ３０の音声出力装置に警告音を鳴らすように信号を出力する。
【００２５】
図３（ａ）（ｂ）は、番組選択のためのキーワードを登録するときテレビモニタ３０に表示させるキーワード登録画面５０を示している。このキーワード登録画面５０は、例えば、リモコン２の“メニューキー”の押下によって表示された“メニュー画面”において、“キーワード登録画面”が選択されることによって表示される。キーワードの入力方法としては、画面に文字列を表示し、その中からユーザにキーワードとして設定したい文字列を選択させたり、携帯電話機における文字列入力と同様にボタン（入力キー）で文字列を入力させる方法等が挙げられる。こうして入力されたキーワードは、図３（ａ）に示されるように、ユーザによって決定キーを押下されることで、メモリ１１に登録される。ここで、図３（ｂ）に示されるように、メモリ１１に複数のキーワードを登録することも可能であるが、番組選択画面４０において表示された番組がどのキーワードを含んでいるのか区別できるように、キーワードごとに番組選択画面４０に番組を表示させる色を指定するようにしてもよい。ここでは、キーワード“ＨＩＲＯＳＨＩ”に対して色５１（例えば黄）が、キーワード“ＮＢＡ”に対して色５２（例えば緑）がそれぞれ指定されている。また、メモリ１１には、番組選択のための条件を記憶させることもでき、この条件として北米向けのテレビモニタ３０が備えているＶ−ＣＨＩＰを機能させるレイティング情報も含めることができる。
【００２６】
図４（ａ）（ｂ）は、本放送受信装置１によって、テレビモニタ３０に表示された番組選択画面４０を示している。図４（ａ）は、番組“Ｑｕｉｚ”が選択されている画面を示している。この番組選択画面４０においては、メモリ１１に登録されたキーワード“ＨＩＲＯＳＨＩ”を番組情報に含む番組“Ｑｕｉｚ”は、図３（ｂ）において指定した色５１によって表示される。同様に、キーワード“ＮＢＡ”に一致する番組“ＮＢＡ”も図３（ｂ）において指定した色５２によって表示される。図４（ａ）においては、番組“Ｑｕｉｚ”は、カーソル４３によって選択されているので、番組表４１においてハイライト表示４４される。さらに、備考欄４２に表示された番組情報にはキーワード“ＨＩＲＯＳＨＩ”が含まれているので、この備考欄４２内の“ＨＩＲＯＳＨＩ”もハイライト表示４５される。また、図４（ｂ）は、番組“Ｑｕｉｚ”が選択されている番組選択画面４０からカーソル４３が左に移動され、番組“ＰＯＫＥ”が選択されるときの番組選択画面４０を示している。このとき、カーソル４３の移動によって選択された番組“ＰＯＫＥ”には、視聴制限“Ｘ−ＲＡＴＥＤ”が課せられているので、テレビモニタ３０の音声出力装置から警告ブザーを発生させ、ユーザに警告する。
【００２７】
ＥＰＧの番組選択画面４０をテレビモニタ３０に表示させるときの制御部１３の処理手順を図５を参照して説明する。ユーザによってリモコン２の“ＥＰＧ表示キー”が押下されると（＃１）、メモリ１１に記憶させた番組情報を検索し（＃２）、登録されたキーワード又は条件に一致する情報が有れば（＃３においてＹＥＳ）、その一致する番組及び項目について色を変えて番組選択画面４０を表示させる（＃４）。その後、ユーザによって、キーワード又は条件に一致する情報を有する番組が選択されれば（＃５においてＹＥＳ）、その番組をハイライト表示させる（＃６）。また、ユーザによって、番組情報にレイティング情報が含まれる番組が選択されれば（＃７においてＹＥＳ）、警告音を鳴らすための信号を出力する（＃８）。その後、ユーザによって、キャンセルキーが押下されると（＃９においてＹＥＳ）、処理を終了する。なお、＃３においてＮＯのときは、全ての番組について同色で番組選択画面４０を表示し（＃１０）、＃５に移行する。また、＃５においてＮＯのときは＃７に、＃７においてＮＯのときは＃９に、＃９においてＮＯのときは＃５にそれぞれ移行する。
【００２８】
このように、本放送受信装置１によれば、番組情報の中に番組選択のためのキーワード又は条件に一致する情報がある番組は、ＥＰＧの番組選択画面４０において他の番組と色を変えて表示させるので、ユーザは、余分な操作を要求されることなく、求める条件に合致する番組があることを知ることができる。そして、ユーザによって上記番組が選択されたときには、該番組がハイライト表示されることにより、ユーザは注意を促され、その番組を見逃してしまうことを防止することができる。また、この番組選択画面４０において、番組情報にレイティング情報などが含まれている番組が選択された場合は、警告音を鳴らしてユーザに警告を行うので、ユーザは、選択した番組に視聴制限が課せられていることを知ることができる。
【００２９】
なお、本発明は上記実施形態の構成に限られることなく種々の変形が可能であり、例えば、番組選択画面４０においてメモリ１１に登録されたキーワードと一致する番組について色を変えて表示する機能、及び、視聴制限が課せられている番組が選択される際に警告音を発する機能を省略してもよい。この場合においても、番組選択画面４０上で上記キーワード等を番組情報に含む番組がユーザによって選択されたときには、該番組に関する情報がハイライト表示４４，４５されるため、ユーザに注意を促すことができる。また、警告音は、＃７においてユーザが選択した番組にレイティング情報が含まれている場合に限られず、その他の視聴を制限するための情報が含まれる場合に鳴らすようにしてもよい。また、放送受信装置１内にＤＶＲ（デジタルビデオレコーダ）を内蔵する構成としてもよい。
【００３０】
【発明の効果】
以上のように請求項１の発明によれば、番組情報の中に番組選択のためのキーワード又は条件に一致する情報がある番組は、ＥＰＧ画面において他の番組と色を変えて表示されるので、ユーザは、余分な操作を要求されることなく、求めるキーワード又は条件に一致する番組があることを知ることができる。そして、ユーザによって上記番組が選択されたときには、該番組がハイライト表示されることにより、ユーザは注意を促され、その番組を見逃してしまうことを防止することができる。また、このＥＰＧ画面において、番組情報にレイティング情報などが含まれている番組が選択された場合は、警告音を鳴らしてユーザに視聴すべきではない番組又は視聴できない番組である旨の警告を行う。従って、ユーザは、選択した番組に視聴制限が課せられていることを知ることができ、放送受信装置の使い勝手が良くなる。
【図面の簡単な説明】
【図１】  本発明の一実施形態による放送受信装置のブロック構成図。
【図２】  同装置によって表示されたＥＰＧの番組選択画面を示した図。
【図３】  （ａ）（ｂ）は同装置における番組選択のためのキーワードを登録する画面を示した図。
【図４】  （ａ）はキーワードと一致する番組が選択されるときの画面を示す図、（ｂ）は視聴制限が課せられている番組が選択されるときの画面を示す図。
【図５】  同番組選択画面をテレビモニタに表示させるときの制御部の処理手順を示したフローチャート。
【符号の説明】
１    デジタル／アナログ放送受信装置
２    リモコン（入力手段）
４    チューナ（受信手段）
５    ＮＴＳＣデコーダ（アナログ復号手段）
７    ＡＴＳＣフロントエンド（デジダル復号手段）
８    ＭＰＥＧデコーダバックエンド（信号変換手段）
９    ＯＳＤ回路（ＯＳＤ表示手段）
１１    メモリ（記憶手段、条件登録手段）
１３    制御部（制御手段、検索手段、色変更制御手段、ハイライト表示制御手段、警告手段）
３０    テレビモニタ（表示装置、音声出力手段）
４０    番組選択画面（ＥＰＧ画面）
４４，４５    ハイライト表示
５１，５２    色
【図１】
0004493254.tif 000002
【図２】
0004493254.tif 000003
【図３】
0004493254.tif 000004
【図４】
0004493254.tif 000005
【図５】
0004493254.tif 000006